(57)【特許請求の範囲】
【請求項１】
第１携帯電話機の登録を受付ける通信端末装置と、
前記通信端末装置によって登録を受付けられた第１携帯電話機を、第２携帯電話機の代替え機として管理する管理装置と、
を含む携帯電話機の管理システムであって、
前記管理装置は、
前記第１携帯電話機に固有の第１固有情報である該第１携帯電話機の電話番号又は個体識別情報を、前記第２携帯電話機に固有の第２固有情報である該第２携帯電話機の電話番号又は個体識別情報とそれぞれ対応付ける情報を含む管理情報を作成する管理情報作成手段と、
前記第１携帯電話機から発信を要求する要求情報が送信され、該要求情報が前記第１固有情報を含む場合、前記管理情報に基づいて前記第１固有情報に対応する前記第２固有情報を使って発信し、前記第１携帯電話機と接続先とを接続する発信手段と、
を備えることを特徴とする携帯電話機の管理システム。
【請求項２】
第１携帯電話機を、第２携帯電話機の代替え機として管理する管理装置であって、
前記第１携帯電話機に固有の第１固有情報である該第１携帯電話機の電話番号又は個体識別情報を、前記第２携帯電話機に固有の第２固有情報である該第２携帯電話機の電話番号又は個体識別情報とそれぞれ対応付ける情報を含む管理情報を作成する管理情報作成手段と、
前記第１携帯電話機から発信を要求する要求情報が送信され、該要求情報が前記第１固有情報を含む場合、前記管理情報に基づいて前記第１固有情報に対応する前記第２固有情報を使って発信し、前記第１携帯電話機と接続先とを接続する発信手段と、
を備えることを特徴とする携帯電話機の管理装置。
【請求項３】
前記第１携帯電話機から位置登録の要求を示す要求情報が送信され、該要求情報が前記第１固有情報を含む場合、前記管理情報に基づいて前記第１固有情報に対応する前記第２固有情報が付された前記第２携帯電話機の位置登録をする登録手段を、
さらに備えることを特徴とする請求項２に記載の携帯電話機の管理装置。
【請求項４】
前記第１固有情報が前記第１携帯電話機の第１電話番号及び前記第１携帯電話機の個体を識別する第１個体識別情報を含み、前記第２固有情報が前記第２携帯電話機の第２電話番号及び前記第２携帯電話機の個体を識別する第２個体識別情報を含み、前記第１電話番号と前記第２電話番号とが同一の場合、
前記管理情報作成手段は、前記第１電話番号に、前記第１個体識別情報及び前記第２個体識別情報を対応付けると情報と共に、前記第１個体識別情報または前記第２個体識別情報が付された携帯電話機の発信を禁止する情報を前記管理情報として作成することを特徴とする請求項２または３に記載の携帯電話機の管理装置。
【請求項５】
前記第１固有情報が前記第１携帯電話機の第１電話番号及び前記第１携帯電話機の個体を識別する第１個体識別情報を含み、前記第２固有情報が前記第２携帯電話機の第２電話番号及び前記第２携帯電話機の個体を識別する第２個体識別情報を含み、前記第１電話番号と前記第２電話番号とが異なる場合、
前記管理情報作成手段は、前記第１電話番号及び前記第１個体識別情報と前記第２電話番号及び前記第２個体識別情報とを対応付けると情報と共に、前記第１個体識別情報または前記第２個体識別情報が付された携帯電話機のいずれの発信要求を優先すべきかを示す情報を前記管理情報として作成することを特徴とする請求項２または３に記載の携帯電話機の管理装置。
【請求項６】
第２携帯電話機の代替えとして第１携帯電話機を貸与する代替携帯電話機のサービスに適用される携帯電話機の管理方法であって、
通信端末装置によって第１携帯電話機を第２携帯電話機の代替えとするための登録を受付ける工程と、
登録を受付けられた第１携帯電話機に固有の第１固有情報である該第１携帯電話機の電話番号又は個体識別情報を、前記第２携帯電話機に固有の第２固有情報である該第２携帯電話機の電話番号又は個体識別情報とそれぞれ対応付ける情報を含む管理情報を作成する管理情報作成工程と、
を含み、
前記第１携帯電話機から発信の要求を示す要求情報が送信され、該要求情報が前記第１固有情報を含む場合、前記管理情報に基づいて前記第１固有情報に対応する前記第２固有情報を使って発信し、前記第１携帯電話機と接続先とを接続させることを特徴とする携帯電話機の管理方法。
【発明の詳細な説明】
【技術分野】
【０００１】
本発明は、携帯電話の管理システム、携帯電話機の管理装置、携帯電話機の管理方法にかかり、特に代替えの携帯電話機を管理する、携帯電話機の管理システム、携帯電話機の管理装置、携帯電話機の管理方法に関する。
【背景技術】
【０００２】
現在、携帯電話機は、電話番号やメールアドレス等のデータが保存可能であって、保存されているデータを使って発着信ができる非常に利便性の高い機器である。ただし、利便性が高い反面、携帯電話機を職場や自宅等に置き忘れた場合には、他者が携帯電話機にした連絡が受けられなくなる。また、多くの場合、携帯電話機に保存されている電話番号等についてはユーザが記憶していないため、多くの電話番号等に発信できなくなるという不具合がある。
【０００３】
このような不具合を解消する従来技術としては、例えば、非特許文献１、特許文献１がある。非特許文献１には、携帯電話機を他の電話機から遠隔操作し、携帯電話機への着信を他の電話機に転送する、いわゆる転送サービスが記載されている。転送サービスによれば、置き忘れられた携帯電話機を遠隔操作してユーザが利用可能な電話機に着信を転送させることができる。
また、特許文献１には、１つの電話番号を複数の携帯電話機が排他的に利用する携帯電話システムが記載されている。このような携帯電話システムによれば、置き忘れた携帯電話機と電話番号を共有する携帯電話機を使って他者と発着信することが可能になる。
【先行技術文献】
【特許文献】
【０００４】
【特許文献１】特開２００８−１０９５２７号公報
【非特許文献】
【０００５】
【非特許文献１】ＮＴＴドコモＨＰ、「転送でんわサービス」、［ｏｎｌｉｎｅ］、［平成２０年１１月２０日検索］、インターネット＜ＵＲL：http://www.nttdocomo.co.jp/binary/pdf/service/call/common/answer_phone_12.pdf＞
【発明の概要】
【発明が解決しようとする課題】
【０００６】
しかしながら、非特許文献１の転送でんわサービスは、どこかに置き忘れられた携帯電話機に対する着信に返信する場合、他の電話機を使うことになる。このため、返信をうけるユーザにとっては、登録されていない電話番号やメールアドレスの着信を受けることになり、未知の相手からの着信であるとして電話やメールに応答しないという事態も起こり得る。
【０００７】
また、近年では、迷惑メールや電話の対抗手段として、予め登録されている電話番号から発信された着信以外の着信を受け付けないサービスもある。このようなサービスを接続先が設定している場合には、他の電話機からの発信が全て排除されることになる。
さらに、転送でんわサービスは、予めサービスを受ける旨の契約がされていることを前提にしたものであり、遠隔操作は、契約済みのサービスを開始させるものである。このため、転送でんわサービスは、携帯電話機をどこかに置き忘れるという、不測の事態に対応することに適したものではない。
【０００８】
特許文献１の携帯電話システムは、１つの電話番号に予め複数の携帯電話機のＩＭＵＩ（International Mobile User Identity：携帯電話機の個体識別情報)を割りつけておく必要がある。このため、特許文献１の携帯電話システムの利用には契約が必要であるから、特許文献１も携帯電話機の置き忘れという不測の事態に適したサービスではない。
また、特許文献１の携帯電話システムでは、電話番号を共用するものの、ＩＭＵＩは区別されている。このため、ＩＭＵＩに対応付けられている音楽データ等を複数の携帯電話機で共用することはできない。さらに、特許文献１の携帯電話システムでは、複数の携帯電話機のユーザが１つの電話番号を共有することも考えられる。このような場合、他のユーザが電話番号を利用していて、携帯電話機をどこかに置き忘れたユーザが他の携帯電話機から電話番号の利用権を取得できない場合もある。
【０００９】
本発明は、以上述べた点に鑑みてなされたものであり、自己が保有する携帯電話機が不測の事態である置き忘れ等によって手元にない場合であっても、置き忘れた携帯電話機の電話番号やＩＭＵＩを他の携帯電話機で確実に使用することが可能な携帯電話機の管理システム、携帯電話機の管理装置、携帯電話機の管理方法を提供することを目的とする。
【課題を解決するための手段】
【００１０】
以上の課題を解決するため、本発明の請求項１の携帯電話機の管理システムは、第１携帯電話機（代替携帯電話機）の登録を受付ける通信端末装置（例えば図１に示したショップＰＣ）と、前記通信端末装置によって登録を受付けられた第１携帯電話機を、第２携帯電話機（ユーザ携帯電話機）の代替え機として管理する管理装置（例えば図２に示した管理装置２００、あるいは図１０に示した管理装置３００）と、を含む携帯電話機の管理システムであって、前記管理装置は、前記第１携帯電話機に固有の第１固有情報である該第１携帯電話機の電話番号又は個体識別情報（例えば図３、あるいは図１３に示したＭＳＩＳＤＮやＩＭＵＩ）を、前記第２携帯電話機に固有の第２固有情報である該第２携帯電話機の電話番号又は個体識別情報（例えば図３、あるいは図１３に示したＭＳＩＳＤＮやＩＭＵＩ）とそれぞれ対応付ける情報を含む管理情報を作成する管理情報作成手段（例えば図２に示した複数ＵＩＭ管理部２０１及び加入者情報管理部２０２、あるいは図１０に示した加入者情報管理部２０２）と、前記第１携帯電話機から発信を要求する要求情報（例えば図８に示した発信要求Ｉ10、あるいは図１５に示した発信要求Ｉ18）が送信され、該要求情報が前記第１固有情報を含む場合、前記管理情報に基づいて前記第１固有情報に対応する前記第２固有情報を使って発信し、前記第１携帯電話機と接続先とを接続する発信手段（例えば図２、あるいは図１０に示した加入者情報管理部２０２）と、を備えることを特徴とする。このような発明によれば、第２携帯電話機の代替に第１携帯電話機を登録することにより、第２携帯電話機の電話番号を使って第１携帯電話機から発信することができる。このため、ユーザが保有する携帯電話機を置き忘れた場合、代替携帯電話機を使用して発信しても、ユーザ携帯電話機の電話番号、あるいは電話番号に対応する登録情報が接続先に表示される。したがって、接続先では、ユーザ携帯電話機からの着信であると認識されるので、接続先が着信に対応しない、あるいは着信メールが消去されることを回避することができる。また、着信拒否や迷惑メール防止のサービス等により着信が拒絶されることを防ぐことも可能である。
このような発明は、ユーザが保有する携帯電話機が不測の事態である置き忘れ等によってそのユーザの手元にない場合、置き忘れた携帯電話機の電話番号や個体識別情報を他の携帯電話機で確実に使用することが可能な携帯電話機の管理システムを提供することができるものといえる。
【００１１】
本発明の請求項２の携帯電話機の管理装置は、第１携帯電話機（例えば代替携帯電話機）を、第２携帯電話機（例えばユーザ携帯電話機）の代替え機として管理する管理装置であって、前記第１携帯電話機に固有の第１固有情報である該第１携帯電話機の電話番号又は個体識別情報（例えば図３、あるいは図１３に示したＭＳＩＳＤＮやＩＭＵＩ）を、前記第２携帯電話機に固有の第２固有情報である該第２携帯電話機の電話番号又は個体識別情報（例えば図３、あるいは図１３に示したＭＳＩＳＤＮやＩＭＵＩ）とそれぞれ対応付ける情報を含む管理情報を作成する管理情報作成手段（例えば図２に示した複数ＵＩＭ管理部２０１及び加入者情報管理部２０２、あるいは図１０に示した加入者情報管理部２０２）と、前記第１携帯電話機から発信を要求する要求情報（例えば図８に示した発信要求Ｉ10、あるいは図１５に示した発信要求Ｉ18）が送信され、該要求情報が前記第１固有情報を含む場合、前記管理情報に基づいて前記第１固有情報に対応する前記第２固有情報を使って発信し、前記第１携帯電話機と接続先とを接続する発信手段（例えば図２、あるいは図１０に示した加入者情報管理部２０２）と、を備えることを特徴とする。
このような発明によれば、第２携帯電話機の代替に第１携帯電話機を登録することにより、第１携帯電話機から第２携帯電話機の電話番号を使って発信することができる。このため、ユーザが保有する携帯電話機をどこかに置き忘れた場合、代替携帯電話機を使用して発信しても、ユーザ携帯電話機の電話番号、あるいは電話番号に対応する登録情報が接続先に表示される。したがって、接続先では、ユーザ携帯電話機からの着信であると認識されるので、接続先が着信に対応しない、あるいは着信メールが消去されることを回避することができる。さらに、着信拒否や迷惑メール防止のサービス等により着信が拒絶されることを防ぐことも可能である。
このような発明は、自己が保有する携帯電話機が不測の事態である置き忘れ等によって手元にない場合、置き忘れた携帯電話機の電話番号や個体識別情報を他の携帯電話機で確実に使用することが可能な携帯電話機の管理装置を提供することができるものといえる。
【００１２】
本発明の請求項３の携帯電話機の管理装置は、請求項２において、前記第１携帯電話機から位置登録の要求を示す要求情報（例えば図７に示した位置登録要求Ｉ4、あるいは図１４に示した位置登録要求Ｉ16）が送信され、該要求情報が前記第１固有情報を含む場合、前記管理情報に基づいて前記第１固有情報に対応する前記第２固有情報が付された前記第２携帯電話機の位置登録をする登録手段（例えば図２に示した複数ＵＩＭ管理部２０１及び加入者情報管理部２０２、あるいは図１０に示した加入者情報管理部２０２）を、さらに備えることを特徴とする。このような発明によれば、第２携帯電話機の代替に第１携帯電話機を登録することにより、第１携帯電話機から第２携帯電話機の電話番号を使って位置登録することができる。このため、ユーザが保有する携帯電話機を忘れた場合、他の電話機がユーザの携帯電話機の電話番号に対して行った発信を代替携帯電話機を使って受けることができる。
【００１３】
本発明の請求項４に記載の携帯電話機の管理装置は、請求項２または３において、前記第１固有情報が前記第１携帯電話機の第１電話番号及び前記第１携帯電話機の個体を識別する第１個体識別情報を含み、前記第２固有情報が前記第２携帯電話機の第２電話番号及び前記第２携帯電話機の個体を識別する第２個体識別情報を含み、前記第１電話番号と前記第２電話番号とが同一の場合、前記管理情報作成手段は、前記第１電話番号に、前記第１個体識別情報及び前記第２個体識別情報を対応付けると情報と共に、前記第１個体識別情報または前記第２個体識別情報が付された携帯電話機の発信を禁止する情報を前記管理情報として作成することを特徴とする。このような発明によれば、１つの電話番号に複数の個体識別情報を割り当てることにより、置き忘れた携帯電話機の電話番号や個体識別情報を他の携帯電話機で比較的簡易に使用することが可能な携帯電話機の管理装置を実現することができる。また、このとき、１つの電話番号に割り当てられた複数の携帯電話機が二重発信することを防ぐことができる。
【００１４】
本発明の請求項５に記載の携帯電話機の管理装置は、請求項２または３において、前記第１固有情報が前記第１携帯電話機の第１電話番号及び前記第１携帯電話機の個体を識別する第１個体識別情報を含み、前記第２固有情報が前記第２携帯電話機の第２電話番号及び前記第２携帯電話機の個体を識別する第２個体識別情報を含み、前記第１電話番号と前記第２電話番号とが異なる場合、前記管理情報作成手段は、前記第１電話番号及び前記第１個体識別情報と前記第２電話番号及び前記第２個体識別情報とを対応付けると情報と共に、前記第１個体識別情報または前記第２個体識別情報が付された携帯電話機のいずれの発信要求を優先すべきかを示す情報を前記管理情報として作成することを特徴とする。このような発明によれば、第１携帯電話機と第２携帯電話機とにそれぞれ電話番号の異なる携帯電話機を用いながら、置き忘れた携帯電話機の電話番号や個体識別情報を他の携帯電話機で使用することが可能な携帯電話機の管理装置を実現することができる。また、このとき、第１携帯電話機と第２携帯電話機とが二重発信することを防ぐことができる。
【００１５】
本発明の請求項６に記載の携帯電話機の管理方法は、第２携帯電話機の代替えとして第１携帯電話機を貸与する代替携帯電話機のサービスに適用される携帯電話機の管理方法であって、通信端末装置によって第１携帯電話機を第２携帯電話機の代替えとするための登録を受付ける工程と、登録を受付けられた第１携帯電話機に固有の第１固有情報である該第１携帯電話機の電話番号又は個体識別情報を、前記第２携帯電話機に固有の第２固有情報である該第２携帯電話機の電話番号又は個体識別情報とそれぞれ対応付ける情報を含む管理情報を作成する管理情報作成工程と、を含み、前記第１携帯電話機から発信の要求を示す要求情報が送信され、該要求情報が前記第１固有情報を含む場合、前記管理情報に基づいて前記第１固有情報に対応する前記第２固有情報を使って発信し、前記第１携帯電話機と接続先とを接続させることを特徴とする。
このような発明は、ユーザが保有する携帯電話機が不測の事態である置き忘れ等によってそのユーザの手元にない場合、置き忘れた携帯電話機の電話番号や個体識別情報を他の携帯電話機で確実に使用することが可能な携帯電話機の管理方法を提供することができるものといえる。
【発明の効果】
【００１６】
このような発明によれば、置き忘れ等の不測の事態によって携帯電話機がユーザの手元にない場合であっても、ユーザは自己の所有する携帯電話機のＵＩＭを使って発信を要求することができる。これにより、発信を受けた接続先において発信がユーザのＵＩＭを使ってなされたものであると認識されるから、接続先が発信に対して適正に対応することができる。具体的には、ユーザの発信が着信した際、接続先において不審な電話やメールであると認識されて人またはシステム上の設定により拒絶されることを防ぐことができる。
【００１７】
さらに、ユーザは代替携帯電話機から自己の所有する携帯電話機のＵＩＭを使って位置登録をすることができる。このため、ユーザの置き忘れられた携帯電話機に対してされた発信を、代替携帯電話機に着信させることができる。したがってユーザは、自己の携帯電話機にかかってきた電話や送信されたメール及びショートメッセージサービス（ＳＭＳ:Short Message Service）によるショートメッセージ（ＳＭ:Short Message）等を、代替携帯電話機を使って受けることができる。
【図面の簡単な説明】
【００１８】
【図１】本発明の実施形態１、実施形態２に共通の、携帯電話機の管理システムの概略を説明するための図である。
【図２】本発明の実施形態１の管理装置の機能を説明するための機能ブロック図である。
【図３】本発明の実施形態１の複数ＵＩＭ管理テーブルを示した図である。
【図４】本発明の実施形態１の管理システムが代替携帯電話機を登録する動作を説明するための図である。
【図５】本発明の実施形態１の顧客情報を例示した図である。
【図６】本発明の実施形態１の加入者情報を説明するための図である。
【図７】本発明の実施形態１の位置登録を説明するための図である。
【図８】本発明の実施形態１の管理システムの発信を説明するための図である。
【図９】本発明の実施形態１の複数ＵＩＭ管理部の要求を受けた優先ＵＩＭ制御部の動作を説明するためのフローチャートである。
【図１０】本発明の実施形態２の管理装置の機能を説明するための機能ブロック図である。
【図１１】本発明の実施形態２の代替携帯電話機の登録を説明するための図である。
【図１２】本発明の実施形態２の顧客情報を例示した図である。
【図１３】本発明の実施形態２の加入者情報を説明するための図である。
【図１４】本発明の実施形態２の位置登録を説明するための図である。
【図１５】本発明の実施形態２の管理システムの発信を説明するための図である。
【図１６】本発明の実施形態３の管理システムが代替携帯電話機を登録する動作を説明するための図である。
【図１７】本発明の実施形態３において代替携帯電話機が位置登録を行った場合の管理システムの動作について説明するための図である。
【図１８】図１７に示した管理システムの動作の他の例を説明するための図である。
【図１９】本発明の実施形態４の管理システムが代替携帯電話機を登録する動作を説明するための図である。
【図２０】本発明の実施形態４において代替携帯電話機が位置登録を行った場合の管理システムの動作について説明するための図である。
【図２１】図２０に示した管理システムの動作の他の例を説明するための図である。
【発明を実施するための形態】
【００１９】
以下、図を参照して本発明に係る携帯電話機の管理システム、携帯電話機の管理装置、携帯電話機の管理方法の実施形態１〜実施形態４を説明する。
（実施形態１）
実施形態１の携帯電話機の管理システムでは、ユーザが外出先で自身の携帯電話機の代替となる携帯電話機を登録する。そして、代替え機により、自己の携帯電話機に固有の情報を使って発着信することを可能にするものである。このような実施形態１の携帯電話機の管理システムは、主にユーザが自身の保有する携帯電話機を職場や自宅等に置き忘れた場合に活用される。なお、実施形態１〜実施形態４の説明では、ユーザが保有する携帯電話機をユーザ携帯電話機、ユーザ携帯電話機の代替えとなる携帯電話機を代替携帯電話機と記すものとする。
【００２０】
（概略構成）
図１は、実施形態１〜実施形態４に共通の、携帯電話機の管理システム（以下、単に管理システムとも記す）の概略を説明するための図である。実施形態１の管理システムは、代替携帯電話機１の登録を受付けるショップＰＣ６と、登録を受付けられた代替携帯電話機１を、置き忘れられたユーザ携帯電話機１１の代替え機として管理する携帯電話機の管理装置（以下、単に管理装置とも記す）と、を含む。ショップＰＣ６は、代替携帯電話機１の登録を受付ける店舗（ショップ）に備えられるＰＣ（Personal Computer )であって、後述する総合管理サーバ５とネットワークを介して接続されている。
【００２１】
なお、実施形態１の管理システムは、ユーザ携帯電話機１１の代替えとして代替携帯電話機１を貸与する代替携帯電話機のサービスに適用されるものとする。このようなサービスは、ショップの側で管理されている携帯電話機を代替携帯電話機１とするので、登録後直ちに代替携帯電話機の使用が可能になり、置き忘れ等の不測の事態に対応することに好適である。
また、管理システムは、ＶＬＲ（Visitor Location Register）／ＳＧＳＮ(Service GPRS Support Node)３、ＨＬＲ（Home Location Register）４、総合管理サーバ５を備えている。
【００２２】
総合管理サーバ５は、所定の通信業者によって管理されるサーバであって、この通信事業者と契約している全ての携帯電話機について顧客情報や料金に関する情報を管理している。なお、ここでは、顧客情報は、携帯電話機の所有者に関する情報（住所、氏名やクレジットカードに関する情報等）、携帯電話機の契約内容、携帯電話機に固有の電話番号（ＭＳＩＳＤＮ）や個体識別情報（ＩＭＵＩ）を含むものとする。管理情報のうち、特に電話番号及びＩＭＵIは、携帯電話機に内蔵されているＵＩＭ（User Identity Module ）と呼ばれるＩＣカードに記録されているため、これらを総称してＵＩＭとも記すものとする。
【００２３】
ＨＬＲ４は、総合管理サーバ５から一部の顧客情報を読み出して内部に保存する。ＶＬＲ／ＳＧＳＮ３は、基地局２から着信、あるいは発信といった通信の要求がある都度ＨＬＲ４から顧客情報を取り出して自装置にコピーする。
図１に示した総合管理サーバ５は代替携帯電話機１の登録を受け付けてユーザ携帯電話機１１と代替携帯電話機１とを対応付ける情報を生成する。生成された情報は読み出され、ＨＬＲ４に保存される。代替携帯電話機１が位置登録、発信、着信といった通信に関する要求をＶＬＲ／ＳＧＳＮ３に送信すると、ＶＬＲ／ＳＧＳＮ３は、ＨＬＲ４に保存されている情報を必要に応じてコピーし、ユーザ携帯電話機１１の電話番号及び個体識別情報を使って発信や位置登録をする。
【００２４】
（管理装置の機能）
図２は、実施形態１の管理装置の機能を説明するための機能ブロック図である。管理装置２００は、図１に示した総合管理サーバ５、ＨＬＲ４、ＶＬＲ／ＳＧＳＮ３が互いに共同して機能することによって構成される。
管理装置２００は、統合管理部２０４を備えている。総合管理部２０４は総合管理サーバ５に保存されている顧客情報の原本と、顧客情報を必要に応じて読み出す、あるいは、新たな顧客情報を受け付けて登録する機能を有している。統合管理部２０４は、ショップＰＣ６によって登録が受付けられた代替携帯電話機に固有の個体識別情報や電話番号の情報を受け付けている。
【００２５】
また、管理装置２００は、登録された代替携帯電話機の個体識別情報や電話番号を、ユーザ携帯電話機に固有の個体識別情報や電話番号と対応付ける情報を作成する複数ＵＩＭ管理部２０１、不特定の携帯電話機から送信された着信や発信といった通信の要求を示す要求情報を作成された情報と比較する加入者情報管理部２０２を有している。
この際、加入者情報管理部２０２は、不特定の携帯電話機から送信された発信や位置登録を要求する情報が代替携帯電話機の個体識別情報や電話番号を含むか否かを判断する。そして、情報が代替携帯電話機の個体識別情報や電話番号を含む場合、対応するユーザ携帯電話機の個体識別情報や電話番号によって発信や位置登録をする。
【００２６】
優先ＵＩＭ制御部２０３は、ユーザ携帯電話機１１と代替携帯電話機１とのいずれか一方だけを通信可能な状態にするための制御を行う機能を有している。このような制御は、１つの携帯電話機が固有の電話番号を１つだけ持つことが社会的なデファクトスタンダードになっているために行われる。
図３は、複数ＵＩＭ管理部２０１によって生成される代替携帯電話機の個体識別情報や電話番号を、ユーザ携帯電話機に固有の個体識別情報や電話番号と対応付ける情報を例示した図である。図３に示した情報は、代替携帯電話機の個体識別情報や電話番号を、ユーザ携帯電話機に固有の個体識別情報や電話番号と対応付けるテーブルである。実施形態１では、図３に示したテーブルを、複数ＵＩＭ管理テーブルと記す。
【００２７】
図３において、Ｂ１はユーザ携帯電話機の電話番号（図中にＭＳＩＳＤＮと記す）、Ａ１はユーザ携帯電話機の個体識別情報である。Ｂ２は代替携帯電話機の電話番号、Ａ２は代替携帯電話機の個体識別情報である。代替番号とは、発信や位置登録する際に使用される電話番号及び個体識別情報に付された管理番号である。管理番号とは、総合管理部２０４において管理されている電話番号及び個体識別情報を特定するために付された番号である。
【００２８】
図３の例では、ＭＳＩＳＤＮＢ１及びＩＭＵＩＡ１、ＭＳＩＳＤＮＢ２及びＩＭＵＩＡ２の両方に管理番号１が対応付けされている。このため、代替携帯電話機、ユーザ携帯電話機のいずれの要求に対しても、管理番号１によって管理されているＭＳＩＳＤＮＢ１及びＩＭＵＩＡ１によって応答がなされる。
接続優先度は、ユーザ携帯電話機、代替携帯電話機の通信に関する優先順位である。実施形態１では、接続優先度を、代替携帯電話機の登録がされている間は代替携帯電話機を高く、代替携帯電話機の登録が解除された場合にユーザ携帯電話機を高く設定するものとする。
位置登録状態は、ユーザ携帯電話機、代替携帯電話機の位置登録の状態を示す情報である。位置登録状態は、代替携帯電話機の登録後、ユーザ携帯電話機または代替携帯電話機が位置登録を要求した後に記録される。
【００２９】
（動作）
次に、以上述べた管理システムの動作を、代替携帯電話機の登録、位置登録、発信について説明する。
１．代替携帯電話機の登録
ユーザは、ユーザ携帯電話機を自宅等に置き忘れた場合、ショップに行って代替携帯電話機の登録を行う。ショップでは、ショップＰＣを使って総合管理サーバにアクセスし、ユーザの顧客情報等を取得する。そして、顧客情報から、ユーザ携帯電話機の電話番号Ｂ１や個体識別情報Ａ１が特定される。さらに、ユーザ携帯電話機の代替携帯電話機として、電話番号Ｂ２、個体識別情報Ａ２の携帯電話機が登録されるものとする。なお、実施形態１では、代替携帯電話機の登録をしたユーザを加入者とも記す。
【００３０】
図４は、実施形態１の管理システムが代替携帯電話機を登録する動作を説明するための図である。図１に示したショップＰＣ６は、電話番号がＢ１のユーザ携帯電話機の代替えとして代替携帯電話機１を登録する契約を受け付ける（４０１）。そして、加入者や、ユーザ携帯電話機１１及び代替携帯電話機１のＵＩＭに関する情報を契約情報Ｉ1として図２に示した総合管理部２０４に送る。総合管理部２０４は、全てのユーザの顧客情報を管理している。そして、代替携帯電話機１１に関する情報も、顧客情報として保存し、管理する（４０２）。
【００３１】
図５は、実施形態１の総合管理部に保存される顧客情報を例示した図である。顧客情報５０１はユーザ携帯電話機の顧客情報であって、ユーザ携帯電話機の電話番号（ＭＳＩＳＤＮ）Ｂ１、個体識別情報（ＩＭＵＩ）Ａ１と共に、「代替フラグＯＮ」の情報が含まれている。「代替フラグＯＮ」は、ユーザ携帯電話機の代替携帯電話機が登録されていることを示す情報である。
また、顧客情報５０２は、代替携帯電話機の顧客情報である。顧客情報５０２には、代替携帯電話機の電話番号Ｂ２、個体識別情報Ａ２と共に、ユーザ携帯電話機の電話番号Ｂ１、代替携帯電話機への通信の要求に対する応答に使用される代替番号、代替携帯電話機の契約日数が含まれている。実施形態１では、総合管理サーバにおいて契約日数が毎日１つカウントされ、カウント値が契約日数に達した場合、またはショップＰＣを通じて代替携帯電話機の登録が解除された場合に顧客情報５０１の代替フラグがオフに設定される。
【００３２】
図４に戻り、次に、図２に示した総合管理部２０４は、複数ＵＩＭ管理部２０１にユーザ携帯電話機１と代替携帯電話機１１に関する情報Ｉ2を送る。複数ＵＩＭ管理部２０１は、情報Ｉ2に基づいて図３に示した複数ＵＩＭ管理テーブルを作成する（４０３）。
また、総合管理部２０４は、加入者情報管理部２０２に対し、代替携帯電話機１に関する情報Ｉ3を送る。加入者情報管理部２０２は、情報Ｉ3に基づいて、加入者情報を作成する（４０４）。
【００３３】
図６は、実施形態１の加入者情報を説明するための図である。図示した加入者情報６０１は、ユーザ携帯電話機の加入者情報（図中に加入者プロファイルと記す）である。加入者情報には、ユーザ携帯電話機の電話番号Ｂ１及び個体識別情報Ａ１と、「代替フラグＯＮ」の情報が含まれている。加入者情報６０２は、代替携帯電話機の加入者情報であって、代替携帯電話機の電話番号Ｂ２及び個体識別情報Ａ２を含んでいる。また、代替携帯電話機への通信の要求に対する応答に使用される代替番号、対応する代替携帯電話機の電話番号Ｂ１及び「代替フラグＯＮ」の情報を含んでいる。
以上の動作により、ユーザ携帯電話機の代替となる、代替携帯電話機の登録が完了する。
【００３４】
２．位置登録
次に、実施形態１の管理システムの位置登録に関する動作について説明する。
図７は、登録された代替携帯電話機が位置登録を図１に示した基地局２に対して行った場合の管理システムの動作について説明するための図である。代替携帯電話機が基地局に位置登録を要求すると、加入者情報管理部に位置登録要求Ｉ4が基地局を介して加入者情報管理部に送られる。位置登録要求Ｉ4には、代替携帯電話機のＵＩＭ、つまり電話番号Ｂ２、個体識別情報Ａ２が含まれている。
【００３５】
加入者情報管理部は、位置登録要求Ｉ4に含まれるＵＩＭから代替携帯電話機の加入者情報を確認し（７０１）、代替電話機の加入者情報に「代替フラグＯＮ」の情報が含まれている場合に複数ＵＩＭ管理部に位置登録を問合せる情報Ｉ5を送る。
複数ＵＩＭ管理部は、情報Ｉ5を受け取り、図３に示した複数ＵＩＭ管理テーブルを確認する（７０２）。確認の結果、代替携帯電話機の電話番号Ｂ２、個体識別情報Ａ２のＵＩＭの管理番号が「２」であることを認識し、管理番号「２」のＵＩＭの代替番号として管理番号「１」を取得する。そして、管理番号「１」のＵＩＭの接続優先度や位置登録状態を取得する。
【００３６】
なお、接続優先度とは、位置登録要求がされた場合、携帯電話機の位置登録の優先順位をいう。また、位置登録状態とは、携帯電話機が現在位置登録されているか否かを示す。実施形態１の管理システムでは、優先順位のより高い携帯電話機が位置登録を完了しているようにユーザ携帯電話機及び代替携帯電話機が管理される。このような管理は、ユーザ携帯電話機、代替携帯電話機のうち、ユーザに使用されているいずれか一方の携帯電話機だけが位置登録されるようにするために行われる。
【００３７】
接続優先度の設定は、例えば、ユーザ携帯電話機または代替携帯電話機の加入者情報に「代替フラグＯＮ」が含まれている場合、代替携帯電話機の接続優先度を高く設定し、ユーザ携帯電話機を低く設定するように行われる。あるいは、ユーザ携帯電話機の顧客情報に「代替フラグＯＮ」が含まれており、代替携帯電話機の顧客情報に含まれる契約日数が残っている場合に代替携帯電話機の接続優先度を高くしてもよい。
また、位置登録状態は、位置登録が完了している場合に「完了」となり、位置登録が完了していない場合に「未完了」となる。ユーザ携帯電話機と代替携帯電話機の両方が同時に位置登録状態「完了」となることはあり得ない。
【００３８】
実施形態１では、位置登録要求した代替携帯電話機の加入者情報が加入者情報６０２であり、ユーザ携帯電話機の加入者情報が加入者情報６０１であるものとする。このようにした場合、複数ＵＩＭ管理部は、図３に示した複数ＵＩＭ管理テーブルから、ユーザ携帯電話機の接続優先度が低く、かつ位置登録完了状態であることを認識する。そして、優先ＵＩＭ制御部に対し、接続優先度が低いユーザ携帯電話機の位置登録を「完了」から「未完了」に移行するように制御要求Ｉ6を送る。
【００３９】
優先ＵＩＭ制御部は、複数ＵＩＭ管理部の制御要求にしたがって、ユーザ携帯電話機の位置登録状態を「未完了」にするよう制御する（７０３）。そして、制御の結果を複数ＵＩＭ管理部に応答Ｉ7として送る。複数ＵＩＭ管理部は、複数ＵＩＭ管理テーブルにおいて、ユーザ携帯電話機の位置登録状態を「未完了」に更新し、代替携帯電話機の位置登録状態を「完了」に更新する。位置登録状態の更新と共に、代替携帯電話機の位置が登録されて位置登録が完了する。
【００４０】
位置登録は、７０２の処理において取得されたユーザ携帯電話機のＵＩＭを使って行われる。すなわち、実施形態１では、代替携帯電話機の位置登録が、管理番号「１」の電話番号Ｂ１、個体識別情報Ａ１を持つ携帯電話機の位置を登録するものとして行われる。この結果、実施形態１の管理システムでは、代替携帯電話機の位置が、ユーザ携帯電話機の位置として登録される。このため、他の携帯電話機からユーザ携帯電話機に向けて発信がされた場合、この発信を代替携帯電話機に着信させることが可能になる。
以上の処理の後、複数ＵＩＭ管理部は、複数ＵＩＭ管理テーブルを更新したことを示す情報Ｉ8を問い合わせの結果として加入者情報管理部に送る。加入者情報管理部は、情報Ｉ8を受け取り、代替携帯電話機の位置登録要求に応答する位置登録応答Ｉ9が、基地局を介して送信される。
【００４１】
３．発信
図８は、実施形態１の管理システムの発信時の動作を説明するための図である。図示したように、代替携帯電話機が加入者情報管理部に対して発信要求Ｉ10を送信する。発信要求Ｉ10には、代替携帯電話機のＵＩＭが含まれている。加入者情報管理部は、発信要求Ｉ10に含まれるＵＩＭを加入者情報と比較して、図６に示した代替携帯電話機の加入者情報６０２を確認する（８０１）。そして、加入者情報６０２が、「代替フラグＯＮ」の情報を含むか否か判断する。
【００４２】
ユーザ携帯電話機の加入者情報が「代替フラグＯＮ」を含む場合、加入者情報管理部から複数ＵＩＭ管理部に対して発信問い合わせＩ11が送られる。発信問い合わせＩ11にも、代替携帯電話機のＵＩＭが含まれていて、複数ＵＩＭ管理部は、発信問い合わせＩ11を受け取ると、図３に示した複数ＵＩＭ管理テーブルとを確認する（８０２）。そして、発信問い合わせＩ11に含まれるＵＩＭと一致するＵＩＭの代替番号を取得する。
【００４３】
具体的には、図６に示した代替携帯電話機の加入者情報６０２の個体識別情報はＡ２であり、電話番号はＢ２である。この個体識別情報と電話番号を図３に示した複数ＵＩＭテーブルと比較する。比較の結果、該当するＵＩＭは管理番号「２」のＵＩＭであることがわかる。複数ＵＩＭ管理部は、管理番号「２」のＵＩＭの代替番号が管理番号「１」であることを確認する。そして、加入者情報管理部に対し、代替番号が管理番号「１」であることを示す発信問い合わせ結果Ｉ12を入者情報管理部に送る。
【００４４】
加入者情報管理部は、発信問い合わせ結果Ｉ12から代替番号が管理番号「１」であることを確認し、管理番号「１」の加入者情報を確認する（８０３）。そして、管理番号「１」のＵＩＭを使って接続先に発信要求Ｉ13を送信する。この結果、発信要求を受けた携帯電話機（接続先）のディスプレイ画面には、ユーザ携帯電話機からの着信を受けた場合と同様の情報が表示される。このため、実施形態１では、接続先となった携帯電話機のユーザは、ユーザ携帯電話機のユーザから着信を受けたものと認識し、対応することができる。
【００４５】
４．登録解除
代替携帯電話機の登録解除は、代替携帯電話機の契約者がショップにおいて申請する、または、顧客情報に含まれる「契約日数」が「０」になった時点で自動的に行われる。代替携帯電話機の登録が解除された場合、複数ＵＩＭ管理部は、代替番号の管理番号が同じＵＩＭ間の接続優先度や位置登録状態を確認する。そして、優先ＵＩＭ制御部に対し、ユーザ携帯電話機と代替携帯電話機との間で二重通信が発生することを防止する制御を要求する。
図９は、複数ＵＩＭ管理部の要求を受けた優先ＵＩＭ制御部の動作を説明するためのフローチャートである。複数ＵＩＭ管理部は、代替携帯電話機の個体識別情報、すなわちＩＭＵＩが複数ＵＩＭ管理テーブルに存在するか否か判断する（ステップＳ９０１）。
【００４６】
ステップＳ９０１の判断の結果、個体識別情報が複数ＵＩＭ管理テーブルに存在しない場合（ステップＳ９０１：Ｎｏ）、複数ＵＩＭ管理部は、加入者情報管理部に対して「ＮＧ」の応答をする（ステップＳ９０４）。また、複数ＵＩＭ管理部は、個体識別情報がＵＩＭ管理テーブルに存在する場合（ステップＳ９０１：Ｙｅｓ）、代替携帯電話機の個体識別情報の管理番号と代替番号に一致する管理番号があるか否か判断する（ステップＳ９０２）。一致する代替番号がない場合にも（ステップＳ９０２：Ｎｏ）、複数ＵＩＭ管理部は、代替携帯電話機の登録がされていないものとして加入者情報管理部に対して「ＮＧ」の応答をする（ステップＳ９０４）。
また、ステップＳ９０２において、一致する代替番号があった場合（ステップＳ９０２：Ｙｅｓ）、代替番号が同一の管理番号である携帯電話機間で接続優先度及び位置登録状態を確認する。そして、接続優先度及び位置登録状態の関係により、接続優先度及び位置登録状態を決定する（ステップＳ９０３）。接続優先度と位置登録状態との関係を表１に示す。
【００４７】
【表１】
0005558921.tif 000002
【００４８】
表１において、接続優先度１、接続優先度２を設定し、接続優先度２は接続優先度１よりも高いものとする。なお、代替携帯電話機の登録解除後、ユーザ携帯電話機の接続優先度は代替携帯電話機よりも高く設定される。したがって、表１の場合、ユーザ携帯電話機の接続優先度が「２」、代替携帯電話機の接続優先度が「１」となるものとする。
ケースａの場合、接続優先度１の携帯電話機の位置登録状態が完了であって、接続優先度２の携帯電話機の位置登録状態が未完了である。このとき、複数ＵＩＭ管理部は、優先ＵＩＭ制御部に対して接続優先度１の携帯電話機の位置登録状態を未完了に移行するように制御要求を送る。このとき、位置登録状態が完了の携帯電話機が接続先と接続していた場合には、切断処理を実行した後に位置登録状態を未完了に移行する。また、複数ＵＩＭ管理部は、接続優先度２の携帯電話機の位置登録状態を完了に移行するように制御要求を送る。
【００４９】
ケースｂの場合、接続優先度１の携帯電話機、接続優先度２の携帯電話機の位置登録状態が共に完了である。このとき、複数ＵＩＭ管理部は、優先ＵＩＭ制御部に対して接続優先度１の携帯電話機の位置登録状態を未完了に移行するように制御要求を送る。また、接続優先度２の携帯電話機の位置登録状態は完了のまま維持するので、制御要求を送らず、加入者情報管理部に対し、位置登録が正常になされていることを示す「正常応答」の応答を通知する。
【００５０】
ケースｃの場合、接続優先度１の携帯電話機、接続優先度２の携帯電話機の位置登録状態が共に未完了である。このとき、複数ＵＩＭ管理部は、接続優先度１の携帯電話機の位置登録状態を未完了のまま維持するため、何ら処理は行わない。また、複数ＵＩＭ管理部は、加入者情報管理部に対して接続優先度２の携帯電話機の位置登録状態を完了に移行するように制御要求を送る。
【００５１】
ケースｄの場合、接続優先度１の携帯電話機の位置登録状態が未完了であって、接続優先度２の携帯電話機の位置登録状態が完了である。このとき、複数ＵＩＭ管理部は、接続優先度１の携帯電話機の位置登録状態を未完了のまま維持するため、何ら処理は行わない。また、接続優先度２の携帯電話機の位置登録状態を完了のまま維持するため、制御要求を送信することなく、加入者情報管理部に対して「正常応答」の応答だけを通知する。
【００５２】
以上説明した実施形態１では、代替携帯電話機をユーザ携帯電話機と同じＵＩＭを使って発信することができる。このため、代替携帯電話機からの着信を受けた携帯電話機においてユーザ携帯電話機からの着信であると認識される。したがって、代替携帯電話機からの電話やメールが不明な送信者からのものであると認識されて無視される可能性を低減することができる。また、迷惑メール防止のサービス等により、着信が排除されることを確実に防ぐことができる。
【００５３】
さらに、実施形態１の管理システムは、代替携帯電話機がユーザ携帯電話機と同じＵＩＭを使って位置登録することができる。このため、他の電話機からユーザ携帯電話機の電話番号に発信した場合にも、代替携帯電話機においてこの発信を受けることができる。
このような実施形態１によれば、ユーザ携帯電話機を忘れたという不測の事態にあっても、代替携帯電話機をユーザ携帯電話機と同様に使用することが可能になる。
【００５４】
ところで、現在、携帯電話機に保存されているアドレス帳や音楽等のデータを例えば総合管理サーバにおいて顧客情報と共に保存しておくサービスがある。代替携帯電話機の登録にあたり、このようなサービスにより保存されているアドレス帳や音楽等のデータを代替携帯電話機にダウンロードすることも考えられる。このようにすれば、代替携帯電話機をいっそうユーザ携帯電話機と同様に使用できて、代替携帯電話機の操作性を高めることができる。
【００５５】
しかし、代替携帯電話機の電話番号がユーザ携帯電話機と同一であってもＩＭＵＩが異なる従来技術では、ユーザ携帯電話機にダウンロードされた音楽データを代替携帯電話機にダウンロードすることができなかった。一方、実施形態１では、加入者情報管理部が代替携帯電話機のＩＭＵIを受け、ユーザ携帯電話機のＩＭＵIを使ってダウンロードを要求できる。このため、実施形態１の管理システムは、代替携帯電話機の使用中、ユーザは自身の携帯電話機にダウンロードされた音楽等のデータを代替携帯電話機により視聴することが可能になる。なお、このようにした場合、当然のことながら、代替携帯電話機にダウンロードされたデータは登録の解除時にショップにおいて削除される。
【００５６】
また、以上述べた実施形態１によれば、代替携帯電話機にユーザ携帯電話機と電話番号が異なる携帯電話機を用いることができるので、同一の電話番号からの二重通信の発生を確実に防ぐことができる。そして、代替携帯電話機の発信や位置登録の要求に使用するＵＩＭや接続優先度を複数ＵＩＭ管理テーブルで管理しているので、ユーザ携帯電話機と代替携帯電話機との間で位置登録や発信を適正に制御することができる。
【００５７】
以上述べた実施形態１の管理システムにおいて、代替携帯電話機は第１携帯電話機に相当し、ユーザ携帯電話機は第２携帯電話機に相当する。電話番号（ＭＳＩＳＤＮ）及び個体席別情報（ＩＭＵＩ）は第１固有情報、第２固有情報に相当する。
また、ショップＰＣが第１携帯電話機の登録を受付ける通信端末装置として機能し、管理装置が管理装置として機能する。複数ＵＩＭ管理部及び加入者情報管理部が管理情報作成手段として機能し、さらに加入者情報管理部は発信手段としても機能する。
【００５８】
（実施形態２）
次に、本発明の実施形態２について説明する。実施形態２の管理システムの概略構成は実施形態１と同様であるから図示を省くものとする。
（管理装置の機能）
図１０は、実施形態２の管理装置の機能を説明するための機能ブロック図である。管理装置３００も、実施形態１と同様に、図１に示した総合管理サーバ５、ＨＬＲ４、ＶＬＲ／ＳＧＳＮ３が互いに共同して機能することによって構成される。管理装置３００は、総合管理部２０４、加入者情報管理部２０２を備えている。なお、実施形態２において示された図において、実施形態１で説明した構成と同様の構成については同様の符号を付して示し、説明を一部略すものとする。
【００５９】
（動作）
１．代替携帯電話機の登録
ユーザは、ユーザ携帯電話機を自宅等に置き忘れた場合、ショップに行って代替携帯電話機の登録を行う。ショップでは、ショップＰＣを使って総合管理サーバにアクセスし、ユーザの顧客情報等を取得する。そして、顧客情報から、ユーザ携帯電話機の電話番号Ｂ１や個体識別情報Ａ１を特定する。ここで、実施形態２では、ショップにおいて、個体識別情報Ａ２の携帯電話機の電話番号をＢ１に設定し、代替携帯電話機として登録する。
【００６０】
図１１は、実施形態２の管理システムが代替携帯電話機を登録する動作を説明するための図である。ショップＰＣは、電話番号がＢ１のユーザ携帯電話機の代替えとして代替携帯電話機の登録を行う契約を受け付ける（１１０１）。そして、加入者やユーザ携帯電話機及び代替携帯電話機の個体識別情報に関する情報を契約情報Ｉ14として総合管理部に送る。契約情報Ｉ14にはユーザ携帯電話機のＵＩＭ及び代替携帯電話機の個体識別情報が含まれている。ユーザ携帯電話機と代替携帯電話機との電話番号は同じに設定されるため、総合管理部は、ユーザ携帯電話機の顧客情報に代替携帯電話機が登録されたことを追加して保存する。代替携帯電話機の登録が追加された顧客情報１２０１を図１２に示す。
【００６１】
次に、総合管理部は、加入者情報管理部に対し、代替携帯電話機に関する情報Ｉ15を送る。情報Ｉ5にも、ユーザ携帯電話機のＵＩＭ及び代替携帯電話機の個体識別情報が含ま
れている。加入者情報管理部は、情報Ｉ15に基づいて、加入者情報を作成する（１１０２）。
図１３は、実施形態２の加入者情報を説明するための図である。図示した加入者情報１３０１には、ユーザ携帯電話機及び代替携帯電話機の電話番号Ｂ１と、ユーザ携帯電話機の個体識別情報Ａ１、代替携帯電話機の個体識別情報Ａ２及び個体識別情報Ａ２の代替携帯電話機がａｃｔｉｖｅ（位置登録や接続が許可される状態）であることを示す情報が含まれている。
以上の動作により、ユーザ携帯電話機の代替となる、代替携帯電話機の登録が完了する。
【００６２】
２．位置登録
次に、実施形態２の管理システムの位置登録に関する動作について説明する。
図１４は、実施形態２において登録された代替携帯電話機が位置登録を図１に示した基地局２に対して行った場合の管理システムの動作について説明するための図である。代替携帯電話機が基地局に位置登録を要求すると、加入者情報管理部に位置登録要求Ｉ16が送られる。位置登録要求Ｉ16には、代替携帯電話機のＵＩＭである個体識別情報Ａ２、電話番号Ｂ１が含まれている。
【００６３】
加入者情報管理部は、情報Ｉ16から個体識別情報Ａ２、電話番号Ｂ１を取得する。そして、図１３に示した加入者情報１３０１を確認し（１４０１）、加入者情報に個体識別情報Ａ２の携帯電話機がａｃｔｉｖｅであることを示す情報（Ａ２：ａｃｔｉｖｅ）が含まれているか否か確認する。そして、個体識別情報Ａ２の携帯電話機がａｃｔｉｖｅであることを示す情報が含まれている場合、代替携帯電話機の位置登録を許容し、位置登録に応答する情報Ｉ17を送る。このような動作により、代替携帯電話機が、電話番号Ｂ１、個体識別情報Ａ１の携帯電話機として位置登録される。
【００６４】
３．発信
次に、実施形態２の管理システムの発信に関する動作について説明する。
図１５は、実施形態２の管理システムの発信を説明するための図である。前記した位置登録の後、代替携帯電話機は発信を要求する発信要求Ｉ18を加入者情報管理部に送信する。発信要求Ｉ18には、代替携帯電話機の電話番号Ｂ１及び個体識別情報Ａ２が含まれている。
加入者情報管理部は、発信要求Ｉ18に含まれる電話番号Ｂ１及び個体識別情報Ａ２に基づいて図１３に示した加入者情報１３０１を確認する。そして、個体識別情報Ａ２の携帯電話機が個体識別情報Ａ１のユーザ携帯電話機の代替であることと、個体識別情報Ａ２の携帯電話機がａｃｔｉｖｅであることを確認する（１５０１）。
【００６５】
確認の結果、個体識別情報Ａ２の携帯電話機がａｃｔｉｖｅであれば、加入者情報管理部は、電話番号Ｂ１、個体識別情報Ａ１を使って接続先に発信要求Ｉ19を送信する。この結果、発信要求を受けた携帯電話機（接続先）のディスプレイ画面には、ユーザ携帯電話機からの着信を受けた場合と同様の情報が表示される。このため、実施形態２でも、実施形態１と同様に、接続先となった携帯電話機のユーザは、ユーザ携帯電話機のユーザから着信を受けたものと認識し、対応することができる。
なお、実施形態２においても、代替携帯電話機の登録はショップにおいて解除することができる。代替携帯電話機の登録解除により、代替携帯電話機の加入者情報から、代替携帯電話機がａｃｔｉｖｅであることを示す情報が削除される。あるいは、代替携帯電話機の加入者情報を全て削除するようにしてもよい。
【００６６】
以上述べた実施形態２によれば、携帯電話機の電話番号をユーザ携帯電話機の電話番号と同一の電話番号に設定している。このため、ユーザ携帯電話機と代替携帯電話機との対応の管理が実施形態１よりも簡易になって、プロセスの簡略化及びシステムの負荷軽減に有利な構成となる。ただし、実施形態２では、いったんユーザ携帯電話機の電話番号に設定された携帯電話機を、電話番号を変更して他の契約時に使用することはしないので、ユーザ携帯電話機の登録のつど、専用の代替携帯電話機が必要になる。
【００６７】
以上述べた実施形態２の管理システムにおいて、代替携帯電話機は第１携帯電話機に相当し、ユーザ携帯電話機は第２携帯電話機に相当する。電話番号（ＭＳＩＳＤＮ）及び個体席別情報（ＩＭＵＩ）は第１固有情報、第２固有情報に相当する。また、ショップＰＣが第１携帯電話機の登録を受付ける通信端末装置として機能し、管理装置が管理装置として機能する。加入者情報管理部は、管理情報作成手段及び発信手段として機能する。
【００６８】
（実施形態３）
次に、本発明の実施形態３について説明する。実施形態３の管理システムの概略構成は実施形態１、実施形態２と同様である。また、管理装置の機能は図１０に示した実施形態２の管理装置３００と同様であるから図示を省くものとする。つまり、実施形態３においても、総合管理サーバ５、ＨＬＲ４、ＶＬＲ／ＳＧＳＮ３が互いに共同して機能することによって管理装置３００を構成する。実施形態３は、加入者情報管理部２０２が１つのＨＬＲ４内で機能するものである。
【００６９】
（動作）
１．代替携帯電話機の登録
実施形態３においても、ユーザは、ユーザ携帯電話機を自宅等に置き忘れた場合、ショップに行って代替携帯電話機の登録を行う。ショップでは、ショップＰＣを使って総合管理サーバにアクセスし、ユーザの顧客情報等を取得する。そして、顧客情報から、ユーザ携帯電話機の電話番号Ｂ１や個体識別情報Ａ１を特定する。ここで、実施形態３では、ショップにおいて、電話番号がＢ２、個体識別情報Ａ２の携帯電話機の電話番号をＢ１に設定し、代替携帯電話機として登録するものとする。
【００７０】
図１６は、実施形態３の管理システムが代替携帯電話機を登録する動作を説明するための図である。図示したように、実施形態３では、１つのＨＬＲ内で２つの加入者情報管理部が、各々ユーザ携帯電話機の加入者情報と代替携帯電話機の加入者情報とを管理している。この説明では、ユーザ携帯電話機の加入者情報を管理する加入者情報管理部を加入者情報管理部（ユーザ）、代替携帯電話機の加入者情報を管理する加入者情報管理部を加入者情報管理部（代替）と記すものとする。
【００７１】
ショップＰＣは、ユーザ携帯電話機の代替えとして代替携帯電話機の登録を行う契約を受け付ける（１６０１）。そして、ショップＰＣからは、ユーザ携帯電話機として代替携帯電話機が契約されたことを示す契約情報Ｉ20が総合管理部に送信される。契約情報Ｉ20には、ユーザ携帯電話機及び代替携帯電話機の電話番号Ｂ１と、ユーザ携帯電話機の個体識別情報Ａ１、代替え携帯電話機の個体識別情報Ａ２が含まれている。
契約情報Ｉ20は、総合管理部によって受信される。総合管理部は、ユーザ携帯電話機の個体識別情報Ａ１、代替携帯電話機の個体識別情報Ａ２、電話番号Ｂ１を、契約情報Ｉ21として加入者情報管理部（ユーザ）に送信する。加入者情報管理部（ユーザ）は、ユーザ携帯電話機の加入者情報に、代替携帯電話機の個体識別情報を追加して保存する（１６０２）。
【００７２】
実施形態３では、追加以前のユーザ携帯電話機の加入者情報には、ユーザ携帯電話機の電話番号Ｂ１、個体識別情報Ａ１のみが含まれているものとする。このような加入者情報に代替携帯電話機の個体識別情報を追加することにより、加入者情報管理部（ユーザ）に保存される加入者情報には、ユーザ携帯電話機の電話番号Ｂ１、個体識別情報Ａ１に加えて、代替携帯電話機の個体識別情報Ａ２と、個体識別情報Ａ２の携帯電話機が代替えに使用されること（Ａｃｔｉｖｅであること）を示す情報が含まれる。なお、追加後の加入者情報は、実施形態２の図１３に示したものと同様であるから図示を省くものとする。
【００７３】
また、総合管理部は、契約情報Ｉ21の送信と並行して、加入者情報管理部（代替）に、代替携帯電話機の加入者情報（電話番号Ｂ１、個体識別情報Ａ２、及び必要なパラメータ）Ｉ22を送信する。
加入者情報管理部（代替）が加入者情報Ｉ22を保存することにより、加入者情報管理部（代替）内に、代替携帯電話機の加入者情報が作成される（１６０３）。なお、代替携帯電話機については一般的な携帯電話機のサービス契約をしないため、加入者情報Ｉ22には必要なパラメータとして最小限の情報が含まれていればよい。
【００７４】
なお、最小限の情報とは、例えば、代替携帯電話機の電話番号に設定された電話番号Ｂ１、代替携帯電話機の個体識別情報Ａ２及びユーザ携帯電話機の個体識別情報Ａ１、さらに、代替携帯電話機の契約中であることを示す情報のみであってもよい。また、実施形態３では、代替携帯電話機の契約中であることを示す情報として、代替携帯電話機が使用される状態にある（Ａｃｔｉｖｅである）ことを示す情報が用いられている。
【００７５】
２．位置登録
次に、実施形態３の管理システムの位置登録に関する動作について説明する。
図１７は、実施形態３において、登録された代替携帯電話機が図１に示した基地局２に対して位置登録を要求した場合の管理システムの動作について説明するための図である。
代替携帯電話機が基地局に位置登録を要求すると、代替携帯電話機の位置に対応する加入者情報管理部（以下、加入者情報管理部（在圏）と記す）に位置登録要求Ｉ23が送信される。位置登録要求Ｉ23には、代替携帯電話機のＵＩＭである個体識別情報Ａ２、電話番号Ｂ１が含まれている。
【００７６】
加入者情報管理部（在圏）は、加入者情報管理部（代替）に、代替携帯電話機の位置登録の要求を位置登録要求Ｉ24として送信する。加入者情報管理部（代替）は、自身が有する代替携帯電話機加入者情報に、ユーザ携帯電話機の個体識別情報Ａ１、個体識別情報Ａ２の状態が「Ａｃｔｉｖｅ」の情報があることから、加入者情報管理部（ユーザ）に代替番号確認要求Ｉ25を送信する。代替番号確認要求Ｉ25は、加入者情報管理部（ユーザ）に対し、ユーザ携帯電話機の加入者情報を要求する情報である。
【００７７】
加入者情報管理部（ユーザ）は、要求されたユーザ携帯電話機の加入者情報を、代替番号確認応答Ｉ26として加入者情報管理部（代替）に送信する。加入者情報管理部（代替）は、代替番号確認応答Ｉ26に基づいて、加入者情報管理部（在圏）に位置登録応答Ｉ27を送信する。位置登録応答Ｉ27には、ユーザ携帯電話機及び代替携帯電話機の個体識別情報Ａ１、Ａ２やユーザ携帯電話機の電話番号Ｂ１が含まれている。加入者情報管理部（在圏）は、位置登録応答Ｉ27に基づいて加入者情報（加入者プロファイル）を作成する（１７０１）。
【００７８】
なお、加入者情報管理部（在圏）において作成される加入者情報には、図１３に示したように、ユーザ携帯電話機の個体識別情報Ａ１、電話番号Ｂ１と、代替携帯電話機の個体識別情報Ａ２及び、個体識別情報Ａ２を有する携帯電話機がＡｃｔｉｖｅであることを示す情報が含まれている。
加入者プロファイルの作成により、加入者情報管理部（在圏）は、代替携帯電話機の電話番号がＢ１に設定されていることを認識する。そして、代替携帯電話機に対し、位置登録に応答する位置登録応答Ｉ28を送る。このような動作により、代替携帯電話機が、電話番号Ｂ１、個体識別情報Ａ１の携帯電話機として位置登録される。
【００７９】
また、実施形態３の位置登録は、図１７に示した動作によって行われるものに限定されない。すなわち、図１７のように、加入者情報管理部（代替）が位置登録要求Ｉ24の受信によって加入者情報管理部（ユーザ）に、代替番号確認応答Ｉ25を送信するものに限定されるものではない。
また、例えば、図１８に示すように、実施形態３では、加入者情報管理部（代替）が、自身が保持している代替携帯電話機の加入者情報に基づいて、加入者情報管理部（在圏）に位置登録応答Ｉ251を直接送信するものであってもよい。
【００８０】
つまり、図１８に示したように、加入者情報管理部（代替）によって管理されている代替携帯電話機の加入者情報には、電話番号Ｂ１、代替携帯電話機の個体識別情報Ａ２と共に、個体識別情報Ａ２の代替携帯電話機がユーザ携帯電話機の代替えであって、Ａｃｔｉｖｅであることが記録されている。このことから、加入者情報管理部（代替）は、加入者情報管理部（在圏）に対し、代替携帯電話機の加入者情報を含む位置登録応答Ｉ251を送信することができる。
このとき、加入者情報管理部（在圏）は、位置登録応答Ｉ251に含まれる加入者情報から、代替携帯電話機がユーザ携帯電話機の代替となっていることを確認する。そして、加入者情報管理部（ユーザ）に対し、位置登録要求Ｉ261を送信する。位置登録要求Ｉ261に応えて、加入者情報管理部（ユーザ）は加入者情報管理部（在圏）に対して位置登録応答Ｉ271を送信する。
【００８１】
加入者情報管理部（在圏）は、位置登録応答Ｉ271に基づいて、加入者情報（加入者プロファイル）を作成する（１８０１）。この加入者情報には、個体識別情報Ａ２の代替携帯電話機が、個体識別情報Ａ１、電話番号Ｂ１のユーザ携帯電話機の代替であって、Ａｃｔｉｖｅであることを示す情報が含まれる。
加入者情報の作成後、代替契約が解除されるまで、代替携帯電話機からの位置登録に対し、加入者情報管理部（在圏）は、位置登録応答Ｉ281を送信する。
【００８２】
（実施形態４）
次に、本発明の実施形態４について説明する。実施形態４の管理システムの概略構成は実施形態１〜３と同様であり、管理装置の機能は図１０に示した実施形態２の管理装置３００と同様であるから図示を省くものとする。つまり、実施形態４においても、総合管理サーバ５、ＨＬＲ４、ＶＬＲ／ＳＧＳＮ３が互いに共同して機能することによって管理装置３００を構成する。ただし、実施形態４では、ユーザ携帯電話機の加入者情報管理部２０２と代替携帯電話機の加入者情報管理部２０２とが、それぞれ異なる２つのＨＬＲ内で機能する点で実施形態３と相違する。
【００８３】
（動作）
１．代替携帯電話機の登録
実施形態４においても、ユーザは、ユーザ携帯電話機を自宅等に置き忘れた場合、ショップに行って代替携帯電話機の登録を行う。ショップでは、ショップＰＣを使って総合管理サーバにアクセスし、ユーザの顧客情報等を取得する。そして、顧客情報から、ユーザ携帯電話機の電話番号Ｂ１や個体識別情報Ａ１を特定する。ここで、実施形態４では、ショップにおいて、電話番号がＢ２、個体識別情報Ａ２の携帯電話機の電話番号をＢ１に設定し、代替携帯電話機として登録するものとする。
【００８４】
図１９は、実施形態４の管理システムが代替携帯電話機を登録する動作を説明するための図である。図示したように、実施形態４では、異なる２つのＨＬＲ内のそれぞれに備わる加入者情報管理部が、各々ユーザ携帯電話機の加入者情報と代替携帯電話機の加入者情報とを管理している。実施形態４の説明においても、ユーザ携帯電話機の加入者情報を管理する加入者情報管理部を加入者情報管理部（ユーザ）、代替携帯電話機の加入者情報を管理する加入者情報管理部を加入者情報管理部（代替）と記すものとする。
【００８５】
ショップＰＣは、電話番号がＢ１のユーザ携帯電話機の代替えとして代替携帯電話機の登録を行う契約を受け付ける（１９０１）。ショップＰＣからは、ユーザ携帯電話機として代替携帯電話機が契約されたことを示す契約情報Ｉ29が総合管理部へ送信される。契約情報Ｉ29には、ユーザ携帯電話機及び代替携帯電話機の電話番号Ｂ１、ユーザ携帯電話機の個体識別情報Ａ１、代替携帯電話機の個体識別情報Ａ２が含まれている。
【００８６】
契約情報Ｉ29は、総合管理部によって受信される。総合管理部は、ユーザ携帯電話機の個体識別情報Ａ１、代替携帯電話機の個体識別情報Ａ２、電話番号Ｂ１を、契約情報Ｉ30として加入者情報管理部（ユーザ）に送信する。加入者情報管理部（ユーザ）は、ユーザ携帯電話機の加入者情報に、代替携帯電話機の個体識別情報を追加して保存する（１９０２）。
【００８７】
実施形態４では、追加以前のユーザ携帯電話機の加入者情報に、ユーザ携帯電話機の電話番号Ｂ１、個体識別情報Ａ１のみが含まれているものとする。このような加入者情報に代替携帯電話機の個体識別情報Ａ２を追加することにより、加入者情報管理部（ユーザ）に保存される加入者情報には、ユーザ携帯電話機の電話番号Ｂ１、個体識別情報Ａ１に加えて、個体識別情報Ａ２の携帯電話機が代替えに使用されること（Ａｃｔｉｖｅであること）を示す情報が含まれる。なお、追加後の加入者情報は、実施形態２の図１３に示したものと同様のものであるから、図示を省くものとする。
【００８８】
また、総合管理部は、契約情報Ｉ30の送信と並行して、加入者情報管理部（代替）に、代替携帯電話機の加入者情報（電話番号Ｂ１、個体識別情報Ａ２、及び必要なパラメータ）Ｉ31を送信する。
加入者情報管理部（代替）が加入者情報Ｉ31を保存することにより、加入者情報管理部（代替）内に、代替携帯電話機の加入者情報が作成される（１９０３）。なお、代替携帯電話機については一般的な携帯電話機のサービス契約をしないため、加入者情報Ｉ31には必要なパラメータとして最小限の情報が含まれていればよい。
【００８９】
なお、最小限の情報とは、例えば、代替携帯電話機の電話番号に設定された電話番号Ｂ１、代替携帯電話機の個体識別情報Ａ２及びユーザ携帯電話機の個体識別情報Ａ１、さらに、代替携帯電話機の契約中であることを示す情報のみであってもよい。また、実施形態４では、代替携帯電話機の契約中であることを示す情報として、代替携帯電話機が使用される状態にある（Ａｃｔｉｖｅである）ことを示す情報が用いられている。
【００９０】
２．位置登録
次に、実施形態４の管理システムの位置登録に関する動作について説明する。
図２０は、実施形態４において、登録された代替携帯電話機が位置登録を図１に示した基地局２に対して行った場合の管理システムの動作について説明するための図である。
代替携帯電話機が基地局に位置登録を要求すると、代替携帯電話機の位置に対応する加入者情報管理部（在圏）に位置登録要求Ｉ32が送信される。位置登録要求Ｉ32には、代替携帯電話機のＵＩＭである個体識別情報Ａ２、電話番号Ｂ１が含まれている。
【００９１】
加入者情報管理部（在圏）は、加入者情報管理部（代替）に、代替携帯電話機の位置登録の要求を位置登録要求Ｉ33として送信する。加入者情報管理部（代替）は、自身が有する代替携帯電話機加入者情報に、ユーザ携帯電話機の個体識別情報Ａ１、個体識別情報Ａ２の状態が「Ａｃｔｉｖｅ」の情報があることから、加入者情報管理部（ユーザ）に対し、代替番号確認要求Ｉ34を送信する。代替番号確認要求Ｉ34は、加入者情報管理部（ユーザ）に対し、ユーザ携帯電話機の加入者情報を要求する情報である。
【００９２】
加入者情報管理部（ユーザ）は、要求されたユーザ携帯電話機の加入者情報を、代替番号確認応答Ｉ35として加入者情報管理部（代替）に送信する。加入者情報管理部（代替）は、代替番号確認応答Ｉ35に基づいて、加入者情報管理部（在圏）に位置登録応答Ｉ36を送信する。位置登録応答Ｉ36には、ユーザ携帯電話機及び代替携帯電話機の個体識別情報Ａ１、Ａ２やユーザ携帯電話機の電話番号Ｂ１が含まれている。加入者情報管理部（在圏）は、位置登録応答Ｉ36に基づいて加入者情報（加入者プロファイル）を作成する（２００１）。
【００９３】
なお、加入者情報管理部（在圏）において作成される加入者情報には、図１３に示したように、ユーザ携帯電話機の個体識別情報Ａ１、電話番号Ｂ１と、代替携帯電話機の個体識別情報Ａ２を有する携帯電話機がＡｃｔｉｖｅであることを示す情報が含まれている。
加入者プロファイルの作成により、加入者情報管理部（在圏）は、代替携帯電話機の電話番号がＢ１に設定されていることを確認する。そして、代替携帯電話機に対し、位置登録に応答する位置登録応答Ｉ37を送る。このような動作により、代替携帯電話機が、電話番号Ｂ１、個体識別情報Ａ１の携帯電話機として位置登録される。
【００９４】
また、実施形態４の位置登録は、図２０に示した動作によって行われるものに限定されない。例えば、図２０のように、加入者情報管理部（代替）が、位置登録要求Ｉ24の受信によって加入者情報管理部（ユーザ）に、代替番号確認応答Ｉ25を送信するものに限定されるものではない。
例えば、図２１に示すように、実施形態４では、加入者情報管理部（代替）が、自身が保持している代替携帯電話機の加入者情報に基づいて、加入者情報管理部（在圏）に位置登録応答Ｉ341を直接送信するものであってもよい。
【００９５】
つまり、図２１に示したように、加入者情報管理部（代替）によって管理されている代替携帯電話機の加入者情報には、電話番号Ｂ１、代替携帯電話機の個体識別情報Ａ２と共に、個体識別情報Ａ２の携帯電話機がユーザ携帯電話機の代替えであり、Ａｃｔｉｖｅであることが記録されている。このことから、加入者情報管理部（代替）は、加入者情報管理部（在圏）に対し、代替携帯電話機の加入者情報を含む位置登録応答Ｉ341を送信することができる。
【００９６】
このとき、加入者情報管理部（在圏）は、位置登録応答Ｉ341に含まれる加入者情報から、代替携帯電話機がユーザ携帯電話機の代替となっていることを確認する。そして、加入者情報管理部（ユーザ）に対し、位置登録要求Ｉ351をする。加入者情報管理部（ユーザ）は、位置登録要求Ｉ351に応えて、加入者情報管理部（在圏）に位置登録応答Ｉ361を送信する。
【００９７】
加入者情報管理部（在圏）は、位置登録応答Ｉ361に基づいて、加入者情報（加入者プロファイル）を作成する（２１０１）。この加入者情報には、個体識別情報Ａ２の代替携帯電話機が、個体識別情報Ａ１、電話番号Ｂ１のユーザ携帯電話機の代替であって、Ａｃｔｉｖｅであることを示す情報が含まれる。
加入者情報の作成後、代替契約が解除されるまで、代替携帯電話機からの位置登録に対し、加入者情報管理部（在圏）は、位置登録応答Ｉ371を送信する。
以上説明した実施形態３、実施形態４によれば、代替携帯電話機が、ユーザ携帯電話機と同一のＨＬＲによって管理されている場合にも、別のＨＬＲによって管理されている場合にも、ユーザ携帯電話機の電話番号及び個体識別情報を使って基地局に位置登録できることが分かる。
【符号の説明】
【００９８】
１  代替携帯電話機
２  基地局
３  ＶＬＲ／ＳＧＳＮ
４  ＨＬＲ
５  総合管理サーバ
１１  ユーザ携帯電話機
２００,３００  管理装置
２０１  管理部
２０２  加入者情報管理部
２０３  優先ＵＩＭ制御部
２０４  総合管理部
５０１,５０２  顧客情報
６０１,６０２  加入者情報
１２０１  顧客情報
１３０１  加入者情報
【図１】
0005558921.tif 000003
【図２】
0005558921.tif 000004
【図３】
0005558921.tif 000005
【図４】
0005558921.tif 000006
【図５】
0005558921.tif 000007
【図６】
0005558921.tif 000008
【図７】
0005558921.tif 000009
【図８】
0005558921.tif 000010
【図９】
0005558921.tif 000011
【図１０】
0005558921.tif 000012
【図１１】
0005558921.tif 000013
【図１２】
0005558921.tif 000014
【図１３】
0005558921.tif 000015
【図１４】
0005558921.tif 000016
【図１５】
0005558921.tif 000017
【図１６】
0005558921.tif 000018
【図１７】
0005558921.tif 000019
【図１８】
0005558921.tif 000020
【図１９】
0005558921.tif 000021
【図２０】
0005558921.tif 000022
【図２１】
0005558921.tif 000023